(57)【要約】【課題】分版装置において、簡素な構成で印刷が不自然になることを回避する。【解決手段】分版装置は、入力されたカラー画像をグレースケール画像に変換（Ｓ１３）する変換部と、前記グレースケール画像に基づき第１の分版データを生成（Ｓ１４〜Ｓ１７）する第１の分版データ生成部と、前記グレースケール画像から画像内のエッジを抽出する（Ｓ１９）ことで第２の分版データを生成（Ｓ２０）する第２の分版データ生成部と、を備える。【選択図】図３
2018107505.tif 000002
【特許請求の範囲】
【請求項１】
入力されたカラー画像をグレースケール画像に変換する変換部と、
前記グレースケール画像に基づき第１の分版データを生成する第１の分版データ生成部と、
前記グレースケール画像から画像内のエッジを抽出することで第２の分版データを生成する第２の分版データ生成部と、
を備えることを特徴とする分版装置。
【請求項２】
前記第１の分版データ生成部は、第１のモードを含む複数のモードのうちの少なくとも１つのモードで前記グレースケール画像に画像処理を行うことで前記第１の分版データを生成し、
前記第２の分版データ生成部は、前記グレースケール画像のうち前記第１のモードで画像処理が行われる領域では、前記エッジで形成される線状部で囲まれた部分からは前記線状部及び非線状部のうち前記線状部のみを抽出する、
ことを特徴とする請求項１記載の分版装置。
【発明の詳細な説明】
【技術分野】
【０００１】
本発明は、画像を２つの分版データに分版する分版装置に関する。
【背景技術】
【０００２】
従来、孔版印刷機において２色印刷を行う場合に、カラー画像を分版する処理が行われている。この分版処理としては、擬似カラーを用いた分版処理が提案されている（例えば、特許文献１参照）。
【０００３】
また、所望の階調値よりも明るいグレースケールデータを抜き出して第１の分版データを生成し、所望の階調値よりも暗い残りのグレースケールデータを抜き出して第２の分版データを生成する分版処理が提案されている（例えば、特許文献２参照）。
【先行技術文献】
【特許文献】
【０００４】
【特許文献１】特開２０１１−１３６５４３号公報
【特許文献２】特開２００１−１９７３２４号公報
【発明の概要】
【発明が解決しようとする課題】
【０００５】
ところで、カラー画像を分版するためには、ＲＧＢの３種のデータを用いて、無彩・有彩や暖色（赤系）・寒色（青系）や特定の色（例えば赤色）に色データを２種類に分ける分版が行われている。
【０００６】
カラー情報を使用することで色による分版が可能となるが、データ量が大きくなり、単色を扱う構成と比較すると全３色分の回路及び指定の色変換の回路が必要となるため、３倍以上の回路規模となる。
【０００７】
また、上述のグレースケールデータを用いる分版処理のように単色を使用した分版方式では、濃度による分版であるため、写真などにおける階調が段階的に変化する部分では急に色が切り替わることになる。そのため、このような分版データに基づいて２色印刷を行うと、印刷が不自然なものになる。
【０００８】
本発明の目的は、簡素な構成で印刷が不自然になるのを回避することができる分版装置を提供することである。
【課題を解決するための手段】
【０００９】
第１の態様では、分版装置は、入力されたカラー画像をグレースケール画像に変換する変換部と、前記グレースケール画像に基づき第１の分版データを生成する第１の分版データ生成部と、前記グレースケール画像から画像内のエッジを抽出することで第２の分版データを生成する第２の分版データ生成部と、を備える。
【００１０】
第２の態様では、分版装置は、第１の態様の分版装置であって、前記第１の分版データ生成部は、第１のモードを含む複数のモードのうちの少なくとも１つのモードで前記グレースケール画像に画像処理を行うことで前記第１の分版データを生成し、前記第２の分版データ生成部は、前記グレースケール画像のうち前記第１のモードで画像処理が行われる領域では、前記エッジで形成される線状部で囲まれた部分からは前記線状部及び非線状部のうち前記線状部のみを抽出する。
【発明の効果】
【００１１】
第１の態様では、グレースケール画像に基づき第１の分版データを生成するため、カラー画像からそのまま分版を行う場合と比較して、回路規模を抑えることができる。また、濃度（濃淡）に応じた分版ではエッジ画像として抽出できなかったエッジを抽出して分版をすることで、濃度に応じた分版を行う場合と比較して、印刷が不自然になることを回避することができる。
【００１２】
第２の態様によれば、第１のモードで画像処理が行われる領域は、エッジで形成される線状部で囲まれた部分からは線状部のみが抽出されるため、第２の分版データにおいて、文字などの内部に不要なエッジが抽出されるのを防ぐことができる。
【図面の簡単な説明】
【００１３】
【図１】一実施の形態に係る分版装置の構成を示すブロック図である。
【図２】一実施の形態における画像処理部を説明するためのブロック図である。
【図３】一実施の形態における分版処理を示すフローチャートである。
【図４Ａ】一実施の形態における第１の分版データ（写真）を赤色で印刷した例を示す図である。
【図４Ｂ】一実施の形態における第２の分版データ（写真）を黒色で印刷した例を示す図である。
【図４Ｃ】一実施の形態における第１の分版データ及び第２の分版データ（写真）を赤色及び黒色で２色印刷した例を示す図である。
【図５Ａ】一実施の形態における第１の分版データ（文字）を赤色で印刷した例を示す図である。
【図５Ｂ】一実施の形態における第２の分版データ（文字）を黒色で印刷した例を示す図である。
【図５Ｃ】一実施の形態における第１の分版データ及び第２の分版データ（文字）を赤色及び黒色で２色印刷した例を示す図である。
【図６】他の実施の形態における分版処理を示すフローチャートである。
【図７】他の実施の形態における第２の分版データ（文字）を黒色で印刷した例を示す図である。
【発明を実施するための形態】
【００１４】
以下、本発明の実施の形態に係る分版装置について、図面を参照しながら説明する。
図１は、一実施の形態に係る分版装置１の構成を示すブロック図である。
図２は、画像処理部８を説明するためのブロック図である。
【００１５】
図１に示すように、分版装置１は、制御部２と、プログラム３と、ＲＡＭ４と、製版用メモリ５と、操作部６と、画像入力部７と、画像処理部８と、を備える。
制御部２は、例えば、分版装置１全体の動作を制御する演算処理装置として機能するＣＰＵ（Central Processing Unit）である。制御部２は、プログラム３を読み出して実行する。なお、制御部２は、分版装置１を備える孔版印刷装置等の他の装置の制御部が兼用するものであってもよい。
【００１６】
プログラム３は、例えば、読み出し専用半導体メモリであるＲＯＭ（Read only memory）に格納されている。
ＲＡＭ（Random Access Memory）４は、例えば、制御部２が各種のプログラム３を実行する際に必要に応じて作業用記憶領域として使用される随時書き込み読み出し可能な半導体メモリである。
【００１７】
製版用メモリ５は、後述する画像処理部８によって生成される第１の分版データ及び第２の分版データを格納するメモリである。
操作部６には、ユーザの各種設定等の操作が行われる。分版装置１が孔版印刷装置に備えられる場合には、操作部６は、孔版印刷装置の操作部であってもよい。分版装置１が例えばパーソナルコンピュータ等のコンピュータである場合には、このコンピュータの操作部となる。
【００１８】
画像入力部７は、例えばスキャナであるが、上記のようなコンピュータから画像データが入力される入力部であってもよい。
サーマルヘッド出力部９は、製版用メモリ５に格納された第１の分版データ及び第２の分版データを、孔版印刷装置の製版部に配置されるサーマルヘッド又はサーマルヘッドの駆動回路に出力する。
【００１９】
図２に示すように、画像処理部８は、ガンマ補正部１１、モノクロ変換部１２、像域分離部１３、エッジ抽出部１４、写真処理部１５、文字処理部１８、フィルタ処理部１６，１９、２値化処理部１７，２０、及び処理選択部２１を有する。これらの各部の機能のそれぞれについては、公知の手法を用いることができるため、詳細な説明は省略する。
【００２０】
ガンマ補正部１１は、例えばスキャナである画像入力部７に入力された画像データのガンマ補正を行う。
モノクロ変換部１２は、入力されたカラー画像をグレースケール画像に変換する変換部である。
【００２１】
像域分離部１３は、像域分離によって、画像の種類、例えば、文字処理（第１のモードの一例）を行う画像であるか、写真処理（第２のモードの一例）を行う画像であるか、を判定する。また、像域分離部１３は、画像内に文字処理を行うべき領域と写真処理を行うべき領域とが含まれる場合、領域ごとに判定を行う。
【００２２】
エッジ抽出部１４は、画像から画像内のエッジ（輪郭部分）を抽出する。エッジの抽出は、公知の様々な手法により行うことができるが、例えば、グレースケール画像の濃度情報に基づき抽出することができる。
【００２３】
写真処理部１５は、像域分離部１３によって写真処理を行うと判定された画像（又は画像の一部の領域）の画像処理である写真処理を、例えば、フィルタ処理部１６によるフィルタ処理、及び２値化処理部１７によるハーフトーン処理により行う。
【００２４】
文字処理部１８は、像域分離部１３によって文字処理を行うと判定された画像（又は画像の一部の領域）の画像処理である文字処理を、例えば、フィルタ処理部１９によるフィルタ処理、及び２値化処理部２０による単純２値化処理により行う。
【００２５】
処理選択部２１は、ユーザによる写真処理及び文字処理の設定情報を取得する。この設定情報に基づき上述の写真処理又は文字処理が行われてもよい。
なお、写真処理部１５、文字処理部１８、フィルタ処理部１６，１９、及び２値化処理部１７，２０は、グレースケール画像に基づき第１の分版データを生成する第１の分版データ生成部の一例である。また、エッジ抽出部１４は、グレースケール画像から画像内のエッジを抽出することで第２の分版データを生成する第２の分版データ生成部の一例である。
【００２６】
図３は、一実施の形態における分版処理を示すフローチャートである。
まず、制御部２は、画像入力部７に画像データが入力されたかの判定を、画像データが入力されるまで繰り返す（ステップＳ１１）。
【００２７】
次に、制御部２は、画像入力部７に画像データが入力されたと判定すると（ステップＳ１１：ＹＥＳ）、この画像データがモノクロ画像であるかを判定する（ステップＳ１２）。
【００２８】
制御部２が、モノクロ画像ではない、すなわちカラー画像であると判定すると（ステップＳ１２：ＮＯ）、モノクロ変換部１２は、カラー画像をグレースケール画像に変換する（ステップＳ１３）。
【００２９】
グレースケール画像への変換処理（Ｓ１３）が行われた場合、及び、モノクロ画像であると判定された場合（ステップＳ１２：ＹＥＳ）、像域分離部１３は、文字処理を行う画像であるのか、或いは写真処理を行う画像であるのかを判定する（ステップＳ１４）。
【００３０】
文字処理を行う画像であると判定された場合（ステップＳ１４：ＹＥＳ）、文字処理部１８は、フィルタ処理部１９及び２値化処理部２０を用いてグレースケール画像の画像処理を行う（ステップＳ１５）。
【００３１】
一方、写真処理を行う画像であると判定された場合（ステップＳ１４：ＮＯ）、写真処理部１５は、フィルタ処理部１６及び２値化処理部１７を用いてグレースケール画像の画像処理を行う（ステップＳ１６）。
【００３２】
なお、グレースケール画像に文字処理を行う領域と写真処理を行う領域とが含まれている場合には、文字処理（ステップＳ１５）及び写真処理（ステップＳ１６）の両方が領域ごとに行われる。
【００３３】
以上により第１の分版データが生成され、製版用メモリ５に格納される（ステップＳ１７）。なお、写真処理の画像処理（ステップＳ１６）が行われた場合の第１の分版データを赤色で印刷した場合の例が図４Ａに示す画像である。また、文字処理の画像処理（ステップＳ１５）が行われた場合の第１の分版データを赤色で印刷した場合の例が図５Ａに示す画像である。
【００３４】
次に、制御部２は、分版処理を行う設定がされているかを判定する（ステップＳ１８）。
制御部２が、分版処理を行う設定がされていると判定すると（ステップＳ１８：ＹＥＳ）、エッジ抽出部１４は、グレースケール画像から画像内のエッジを抽出する（ステップＳ１９）。これにより、第２の分版データが生成され、製版用メモリ５に格納される（ステップＳ２０）。なお、第２の分版データを黒色で印刷した場合の例が図４Ｂ及び図５Ｂに示す画像である。ここで、図５Ｂに示す第２の分版データには、エッジで形成される線状部Ｌで囲まれた部分に例えば点状部である非線状部Ｎが抽出されているが、文字の輪郭部分である線状部Ｌは明確に抽出されている。
【００３５】
なお、制御部２が、分版処理を行う設定がされていないと判定すると（ステップＳ１８：ＮＯ）、第２の分版データの生成処理（ステップＳ１９，Ｓ２０）は行われない。
その後、サーマルヘッド出力部９は、製版用メモリ５に格納された第１の分版データ及び第２の分版データの両方（或いは第２の分版データが生成されない場合は第１の分版データのみ）を、孔版印刷装置の製版部に配置されるサーマルヘッド又はサーマルヘッドの駆動回路に出力する。その後、孔版原紙は、製版部において第１の分版データ又は第２の分版データに対応する感熱穿孔がサーマルヘッドによって施され（ステップＳ２１）、２つの印刷ドラムの一方に巻き付けられる。そして、２つの印刷ドラムに巻き付けられた孔版原紙のそれぞれを用いて２色印刷が行われる。この２色印刷が行われた場合の例が図４Ｃ及び図５Ｃに示す画像である。この画像は、図４Ａ，図５Ａに示す第１の分版データに対応する画像と図４Ｂ，図５Ｂに示す第２の分版データに対応する画像とを重ね合わせた画像といえる。
【００３６】
以上説明した一実施の形態では、分版装置１は、入力されたカラー画像をグレースケール画像に変換する変換部（モノクロ変換部１２）と、グレースケール画像に基づき第１の分版データを生成する第１の分版データ生成部（写真処理部１５、文字処理部１８、フィルタ処理部１６，１９、及び２値化処理部１７，２０）と、グレースケール画像から画像内のエッジを抽出することで第２の分版データを生成する第２の分版データ生成部（エッジ抽出部１４）と、を備える。
【００３７】
このように、グレースケール画像に基づき第１の分版データを生成するため、カラー画像からそのまま分版を行う場合と比較して、回路規模を抑えることができる。また、濃度（濃淡）に応じた分版ではエッジ画像として抽出できなかったエッジを抽出して分版をすることで、濃度に応じた分版を行う場合と比較して、印刷が不自然になることを回避することができる。
【００３８】
図６は、他の実施の形態における分版処理を示すフローチャートである。
本実施の形態では、ステップＳ３９，Ｓ４０の処理を追加した点のみ、上述の一実施の形態と相違し、その他は同様にすることができるため、詳細な説明は省略する。
【００３９】
図６のステップＳ３１〜Ｓ３８，Ｓ４１〜Ｓ４３の処理は、図３のステップＳ１１〜Ｓ２１と同一であるため、第２の分版データの生成処理（ステップＳ３８〜Ｓ４２）について説明する。
【００４０】
まず、制御部２は、分版処理を行う設定がされているかを判定する（ステップＳ３８）。
制御部２は、分版処理を行う設定がされていると判定すると（ステップＳ３８：ＹＥＳ）、像域分離部１３が、文字処理を行う画像であると判定しているか（ステップＳ３４（Ｓ１４）：ＹＥＳ）を判定する（ステップＳ３９）。
【００４１】
文字処理を行う画像であると判定された場合（ステップＳ３９：ＹＥＳ）、エッジ抽出部１４は、図７に示すように、エッジで形成される線状部Ｎで囲まれた部分からは、線状部Ｎ以外の非線状部（図５Ｂの非線状部Ｎ）は抽出しないエッジ内部排他処理（ステップＳ４０）を行いながらエッジ抽出処理（ステップＳ４１）を行う。これは、文字を構成する線状部Ｌ内のエッジは、不要な部分といえるためである。但し、線状部Ｌで囲まれた部分における線状部Ｌは、文字を構成する線状部Ｌといえるため、エッジ抽出部１４は、線状部Ｌを抽出する。なお、線状部Ｌは、完全に途切れない線に限られるものではなく、所定の割合以下で途切れる部分があっても線状部Ｌとみなせばよい。
【００４２】
一方、写真処理を行う画像であると判定された場合（ステップＳ３９：ＮＯ）、エッジ抽出部１４は、線状部で囲まれた部分からも、線状部及び非線状部の両方を抽出する（ステップＳ４１）。なお、画像内に文字処理が行われる領域と写真処理が行われる領域とが含まれる場合、文字処理が行われる領域に上述のエッジ内部排他処理（ステップＳ４０）を行えばよい。
【００４３】
以上により、第２の分版データが生成され、製版用メモリ５に格納される（ステップＳ４２）。第２の分版データを黒色で印刷した場合の例が図７に示す画像である。
なお、制御部２が、分版処理を行う設定がされていないと判定すると（ステップＳ３８：ＮＯ）、第２の分版データの生成処理（ステップＳ３９〜Ｓ４２）は行われない。
【００４４】
以上説明した他の実施の形態では、上述の一実施の形態と同様の効果を得ることができる。
更には、本実施の形態においても、第１の分版データ生成部（写真処理部１５、文字処理部１８、フィルタ処理部１６，１９、及び２値化処理部１７，２０）は、第１のモード（文字処理）を含む複数のモードのうちの少なくとも１つのモードでグレースケール画像に画像処理を行うことで第１の分版データを生成する。また、本実施の形態では、第２の分版データ生成部（エッジ抽出部１４）は、グレースケール画像のうち第１のモードで画像処理が行われる領域では、エッジで形成される線状部Ｌで囲まれた部分からは線状部Ｌ及び非線状部Ｎのうち線状部Ｌのみを抽出する。これにより、第１のモードで画像処理が行われる領域は、エッジで形成される線状部Ｌで囲まれた部分からは線状部Ｌのみが抽出されるため、第２の分版データにおいて、文字などの内部に不要なエッジが抽出されるのを防ぐことができる。
【００４５】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。
【符号の説明】
【００４６】
１      分版装置
２      制御部
８      画像処理部
１２      モノクロ変換部
１３      像域分離部
１４      エッジ抽出部
１５      写真処理部
１８      文字処理部
【図１】
2018107505.tif 000003
【図２】
2018107505.tif 000004
【図３】
2018107505.tif 000005
【図４Ａ】
2018107505.tif 000006
【図４Ｂ】
2018107505.tif 000007
【図４Ｃ】
2018107505.tif 000008
【図５Ａ】
2018107505.tif 000009
【図５Ｂ】
2018107505.tif 000010
【図５Ｃ】
2018107505.tif 000011
【図６】
2018107505.tif 000012
【図７】
2018107505.tif 000013